(57)【要約】【課題】ＤＶＤ−Ｒ  ＤＬへＩｎｃｒｅｍｅｎｔａｌ記録方式で記録する場合であっても、ディスクの記録領域を無駄なく使用できる光ディスク記録装置及び光ディスク記録方法を提供する。【解決手段】ファイルシステム情報を記録する領域を決定する記録領域決定部を有し、前記記録領域決定部は前記ファイルシステム情報が光ディスクの１層目と２層目の複数個所に分割して記録されるように前記ファイルシステム情報を記録する領域を決定し、且つ前記ファイルシステム情報を記録する１層目の領域がユーザーエリアの先頭アドレスから２層目のユーザーエリア最内周アドレスの同円周上の位置にある１層目の位置より外周側に所定量進めた位置に達しないアドレスまでの領域となるように決定する。【選択図】図１
2009211746.tif 000002
【特許請求の範囲】
【請求項１】
複数の１からＮ層の記録層を有する光ディスクに情報を記録する光ディスク記録装置であって、この光ディスクへ記録するデータを入力するデータ入力部と、前記データをファイルとして管理するファイルシステム情報を生成するファイルシステム情報生成部と、前記データを記録する領域である入力データ記録領域と前記ファイルシステム情報を記録する領域であるファイルシステム記録領域を決定する記録領域決定部と、この記録領域決定部によって決定された領域に、前記データ及び前記ファイルシステム情報を前記光ディスクへ記録するディスク記録部を有し、前記記録領域決定部は、前記ファイルシステム記録領域に対して、このファイルシステム記録領域が含まれる記録層より高い記録層に前記入力データ記録領域が所定量以上重ならないように前記ファイルシステム記録領域と前記入力データ記録領域を割り当てることを特徴とする光ディスク記録装置。
【請求項２】
前記ディスク記録部が前記光ディスクへ１からＮ層にかけてＩｎｃｒｅｍｅｎｔａｌ記録方式で記録することを特徴とする請求項１に記載の光ディスク記録装置。
【請求項３】
前記記録領域決定部は、前記ファイルシステム記録領域を１層目の先頭アドレスから所定量の領域と、前記入力データ記録領域の最終アドレス以降の所定量の領域に分割して割り当てることを特徴とする請求項２に記載の光ディスク記録装置。
【請求項４】
前記光ディスクはＤＶＤ−Ｒ  ＤＬであることを特徴とする請求項１乃至３に記載の光ディスク記録装置。
【発明の詳細な説明】
【技術分野】
【０００１】
本発明は、データをファイルとして管理して記録する光ディスク記録装置に係り、特に片面２層以上の記録層を有する光ディスクへ記録を行う光ディスク記録装置に関するものである。
【背景技術】
【０００２】
近年、コンピューターの記録メディアとして、あるいはディジタルオーディオ／映像信号の記録メディアとして、ＤＶＤ−ＲやＤＶＤ−ＲＷ、ＤＶＤ−ＲＡＭといった記録型のＤＶＤが広く普及している。その中で、片面に２層の記録層を有したＤＶＤ−Ｒ  ＤＬがある。このＤＶＤ−Ｒ  ＤＬの記録可能領域の中で論理セクタ番号が割り当てられる領域（以降、ユーザーエリアと呼ぶ）は、図５に示すような構造となっている。図５はＤＶＤ−Ｒ  ＤＬのユーザーエリアを記録層毎に帯状に表現した図である。図５において、５０１はＤＶＤ−Ｒ  ＤＬの１層目の記録層のユーザーエリア、５０２はＤＶＤ−Ｒ  ＤＬの２層目の記録層のユーザーエリア、５０３は１層目の記録層のユーザーエリアの最内周アドレス、５０４は１層目の記録層のユーザーエリアの最外周アドレス、５０５は２層目の記録層のユーザーエリアの最外周アドレス、５０６は２層目の記録層のユーザーエリアの最内周アドレス、５０７は２層目の記録層のユーザーエリアの最内周アドレス５０６が存在する同円周上の位置にある１層目の記録層のアドレスである。１層目の記録層のユーザーエリアは、内周から外周に向けて論理セクタ番号が割り振られており、１層目の記録層のユーザーエリアの最内周アドレス５０３は１層目の先頭アドレスとなる。一方、２層目の記録層のユーザーエリアは、外周から内周に向けて論理セクタ番号が割り振られている。１層目のユーザーエリアと２層目のユーザーエリアは論理セクタ番号が連続しており、２層目の記録層のユーザーエリアの最外周アドレス５０５の論理セクタ番号は、１層目の記録層のユーザーエリアの最外周アドレス５０４の論理セクタ番号に１を足した値になる。ＤＶＤ−Ｒ  ＤＬは図５に示すように２層目の記録層のユーザーエリアが１層目の記録層のユーザーエリアよりも小さい構造となっている。２層目の記録層のユーザーエリア最外周アドレス５０５は、１層目の記録層のユーザーエリア最外周アドレス５０４の同円周上の位置よりも内周寄りにあり、２層目の記録層のユーザーエリア最内周アドレス５０６は、１層目の記録層のユーザーエリア最内周アドレス５０３の同円周上の位置よりも外周寄りにある。
【０００３】
これら記録型ＤＶＤにデータを記録する際、データをファイルとして管理しアクセスできるように多様なファイルシステムが考案・実用化されている。一般的にＤＶＤにはＵＤＦ（Ｕｎｉｖｅｒｓａｌ  Ｄｉｓｃ  Ｆｏｒｍａｔ）と呼ばれるファイルシステムが用いられている。また、ＣＤ−ＲＯＭとの互換性を考慮し、ＵＤＦとＩＳＯ９６６０のどちらでもディスク上のファイルにアクセスできるようにブリッジを構築する場合もある。
【０００４】
これらのファイルシステムは、ディスク上に記録されたファイルシステム特有の管理情報を用いて、ディスク上のデータをファイルとして管理している。このファイルシステム情報には、ボリューム空間（論理セクタ番号で指定される論理空間）の記録位置が固定的に決められているものと、任意の位置に記録できるものがある。たとえばＵＤＦファイルシステムにおいて、ボリュームを認証する情報は論理セクタ番号１６の論理セクタから始まる連続するセクタに、ボリュームを管理する情報は論理セクタ番号２５６とボリュームの終端セクタと、もしくは終端セクタの論理セクタ番号−２５６のセクタに記録されなければならない。一方、ディレクトリやファイルを管理するＦｉｌｅ  Ｉｄｅｎｔｉｆｉｅｒ  ＤｅｓｃｒｉｐｔｏｒやＦｉｌｅ  Ｅｎｔｒｙ等の情報はある特定領域の任意の位置に記録することができ、これらの記録位置はボリュームを管理する情報から辿ることができる。
【０００５】
このように、ファイルシステム情報の中にはボリューム空間の任意の位置に配置することができるものがあり、その配置位置について特徴付けた技術がいくつかある。（例えば、特許文献１参照。）
ＤＶＤ−Ｒ  ＤＬへの記録方式は、一般的にコンピューターなどのメモリが豊富な機器ではＤｉｓｃ  Ａｔ  Ｏｎｃｅ方式、ＤＶＤレコーダーやディジタルビデオカメラのようなメモリ容量が限られた機器、またはリアルタイムに記録を要求される機器ではＩｎｃｒｅｍｅｎｔａｌ記録方式が採用されている。ＤＶＤ−Ｒ  ＤＬにＩｎｃｒｅｍｅｎｔａｌ記録方式で記録して上記のようなファイルシステムを構築する場合、一般的に次に示すような手順で記録する。まず、１層目の記録層の内周部にファイルシステム情報を記録するための領域を予約しておき、それに続く領域から所望のデータを記録する。そして、所望のデータを全て記録し終わった後に、先に予約した領域及び他所定の領域にファイルシステム情報を記録して、ディスク上にファイルシステムを構築する。最後に、ディスクをＣｌｏｓｅする。ディスクのＣｌｏｓｅでは、Ｌｅａｄ−ｉｎやＬｅａｄ−ｏｕｔ等がディスクに記録され、ディスクはＣｏｍｐｌｅｔｅ状態となり、汎用のコンピューターやＤＶＤ再生機等での再生互換性が考慮されたディスクとなる。
【０００６】
一方、ディスク上に占めるファイルシステム情報のデータ量は、一般的にファイルやディレクトリの数に比例する。ディスクに記録されるファイルやディレクトリの数が多ければ多いほど、ファイルシステム情報のデータ量もそれに比例して大きくなる。
【特許文献１】特開２００７−１９３９００号公報
【発明の開示】
【発明が解決しようとする課題】
【０００７】
ところで、一般的にＤＶＤ−Ｒ  ＤＬの２層目を記録する場合は、２層目の記録領域と重なる１層目の記録領域が既に記録されているか、または未記録であってもそのサイズが所定量以内であることが、記録品位を良好にするために好ましい。しかしながら、ＤＶＤ−Ｒ  ＤＬにＩｎｃｒｅｍｅｎｔａｌ記録方式で多数のファイルやディレクトリを記録すると、ファイルシステム情報が２層目の記録層のユーザーエリアの最内周アドレスの同円周上の位置にある１層目の記録層のアドレス５０７を超えてしまうほど大きくなる場合がある。この場合を図６に示す。図６において、６０１はＤＶＤ−Ｒ  ＤＬの１層目の記録層のユーザーエリア、６０２はＤＶＤ−Ｒ  ＤＬの２層目の記録層のユーザーエリア、６０３は２層目の記録層のユーザーエリアの最内周アドレスの同円周上の位置にある１層目の記録層のアドレス、６０４はファイルシステム情報を記録するために必要なサイズだけ１層目の記録層に予約されたファイルシステム記録領域、６０５は領域６０４と重なる２層目の領域である。ここで、先述したＩｎｃｒｅｍｅｎｔａｌ記録方式の一般的な手順に従って、ファイルシステム情報を記録する領域６０４が未記録状態のまま、より高い記録層にある領域６０５を記録すると、領域６０５は記録品位が低下し、場合によっては記録されたデータの読み出しが困難な領域となる。よって、領域６０５はデータを記録できない無駄な領域となってしまうという問題があった。
【０００８】
本発明では、前記従来の課題を解決するものであって、ＤＶＤ−Ｒ  ＤＬへＩｎｃｒｅｍｅｎｔａｌ記録方式で記録する場合であっても、ディスクの記録領域を無駄なく使用できる光ディスク記録装置を提供することを目的とする。
【課題を解決するための手段】
【０００９】
前記従来の課題を解決するために、本発明の光ディスク記録装置は、複数の１からＮ層の記録層を有する光ディスクに情報を記録する光ディスク記録装置であって、この光ディスクへ記録するデータを入力するデータ入力部と、前記データをファイルとして管理するファイルシステム情報を生成するファイルシステム情報生成部と、前記データを記録する領域である入力データ記録領域と前記ファイルシステム情報を記録する領域であるファイルシステム記録領域を決定する記録領域決定部と、この記録領域決定部によって決定された領域に、前記データ及び前記ファイルシステム情報を前記光ディスクへ記録するディスク記録部を有し、前記記録領域決定部は、前記ファイルシステム記録領域に対して、このファイルシステム記録領域が含まれる記録層より高い記録層に前記入力データ記録領域が所定量以上重ならないように前記ファイルシステム記録領域と前記入力データ記録領域を割り当てることを特徴としたものである。
【発明の効果】
【００１０】
本発明の光ディスク記録装置によれば、ＤＶＤ−Ｒ  ＤＬへＩｎｃｒｅｍｅｎｔａｌ記録方式で記録する場合であっても、ディスクの記録領域を無駄なく使用することができる。
【発明を実施するための最良の形態】
【００１１】
以下に、本発明の光ディスク記録装置の実施の形態を図面とともに詳細に説明する。
【００１２】
（実施の形態１）
本実施例は、２層の記録層を有するＤＶＤ−Ｒ  ＤＬへＩｎｃｒｅｍｅｎｔａｌ記録方式を用い、ファイルシステムとしてＵＤＦとＩＳＯ９６６０のブリッジを構築するように記録する場合を想定している。
【００１３】
図１は、本発明の第１の実施の形態における光ディスク記録装置の構成図である。図１において、ＤＶＤ−Ｒ  ＤＬ１０１は、記録先となる光ディスクである。データ入力部１０２は、光ＤＶＤ−Ｒ  ＤＬ１０１に記録するＭＰＥＧやＪＰＥＧといった符号圧縮化されたディジタルデータを入力する。ファイルシステム情報生成部１０３は、データ入力部１０２からの入力データや、記録領域決定部１０４で決定されたファイルシステム記録領域に基づき、入力データをファイルとして管理するファイルシステム情報を生成する。
【００１４】
記録領域決定部１０４は、データ入力部１０２からの入力データを記録する領域である入力データ記録領域と、ファイルシステム情報生成部１０３によって生成されたファイルシステム情報を記録する領域であるファイルシステム記録領域を決定する。ドライブ制御部１０５は、コマンドを発行することにより、ドライブインターフェース回路１０６、ドライブ制御マイコン１０７、記録再生信号処理回路１０８、サーボ回路１０９、光ピックアップ１１０で構成されるドライブブロックを制御し、データ入力部１０２からの入力データやファイルシステム情報生成部１０３からのファイルシステム情報をドライブブロックに転送する。ドライブインターフェース回路１０６は、ドライブ制御部１０５とのコマンドや転送データの通信を行う。ドライブ制御マイコン１０７は、ドライブインターフェース回路１０６が受け取ったコマンドに従い、コマンドで指定された論理セクタをＤＶＤ−Ｒ  ＤＬ１０１の物理セクタに変換する一方、光ピックアップ１１０の出力に基づき記録再生信号処理回路１０８で生成された各サーボ信号を用いて、サーボ回路１０９と光ピックアップ１１０を制御することにより、指定されたＤＶＤ−Ｒ  ＤＬ１０１上の記録位置へのアクセスを行う。記録再生信号処理回路１０８は、ドライブインターフェース回路１０６から転送されたデータに誤り訂正符号化処理、変調処理などの符号化処理を行い、光ピックアップ１１０に供給する記録信号を生成する。サーボ回路１０９は、図示しないスピンドルモータや光ピックアップ１１０の位置を調整することにより、トラッキングやフォーカス方向の制御を行う。光ピックアップ１１０は、ＤＶＤ−Ｒ  ＤＬ１０１にレーザー光を照射して、記録再生信号処理回路１０８から供給された信号を記録する。ディスク記録部１１１は、ドライブインターフェース回路１０６、ドライブ制御マイコン１０７、記録再生信号処理回路１０８、サーボ回路１０９、光ピックアップ１１０、ドライブ制御部１０５から構成される。
【００１５】
ここで、ファイルシステム情報生成部１０３、記録領域決定部１０４及びドライブ制御部１０５による、入力されたデータ及びファイルシステム情報をＤＶＤ−Ｒ  ＤＬ１０１へ記録する方法を図２、図３を用いて説明する。なお、１層目に記録されるファイルシステム情報を第１のファイルシステム情報、２層目に記録されるファイルシステム情報を第２のファイルシステム情報と呼ぶ。
【００１６】
図２は、未記録状態のＤＶＤ−Ｒ  ＤＬ１０１の記録領域の配置を表したものである。図２において、２０１はＤＶＤ−Ｒ  ＤＬ１０１の１層目の記録層のユーザーエリア、２０２はＤＶＤ−Ｒ  ＤＬ１０１の２層目の記録層のユーザーエリア、２０３は２層目の記録層のユーザーエリア最内周アドレスの同円周上の位置にある１層目の記録層のアドレス、２０４は第１のファイルシステム情報を記録するために予約されたファイルシステム記録領域、２０５は第２のファイルシステム情報を記録するために確保されたファイルシステム領域、２０６は領域２０５の先頭アドレス、２０７は入力データを記録するために予約された入力データ記録領域である。
【００１７】
まず、データ入力部１０２からデータ入力される前に、記録領域決定部１０４は、ドライブ制御部１０５を介して、領域２０４を予約する。このとき、領域２０４は、１層目の先頭アドレスから、２層目の記録層のユーザーエリアの最内周アドレスの同円周上の位置にある１層目のアドレス２０３よりも内周位置に収まるように割り当てる。また、領域２０４のサイズは、記録されるファイルシステム情報の内容を記録するファイル・ディレクトリ構成並びにその数で情報量が変化しない情報に決定することで求められ、例えば、ＩＳＯ９６６０を構成するＶｏｌｕｍｅ  Ｄｅｓｃｒｉｐｔｏｒ  Ｓｅｔ、ＵＤＦを構成するＶｏｌｕｍｅ  Ｒｅｃｏｇｎｉｔｉｏｎ  Ｓｅｑｕｅｎｃｅ、１ｓｔ Ａｎｃｈｏｒ  Ｖｏｌｕｍｅ  Ｄｅｓｃｒｉｐｔｏｒ  ＰｏｉｎｔｅｒやＭａｉｎ／Ｒｅｓｅｒｖｅ  Ｖｏｌｕｍｅ  Ｄｅｓｃｒｉｐｔｏｒ  Ｓｅｑｕｅｎｃｅ等といった情報になる。
【００１８】
次に、領域２０７を予約する。領域２０７の予約サイズは、領域２０４の直後からアドレス２０６の直前のアドレスまでとなり、このアドレスが、入力データ記録領域の最終アドレスとなる。そして、領域２０７の後の領域が領域２０５となる。ここで、アドレス２０６は、第２のファイルシステム情報を記録するために必要なサイズを確保できるアドレスであり、第２のファイルシステム情報を記録するために必要なサイズは、記録される入力データのファイル・ディレクトリ構成並びにその数が記録前に明確化されているのであれば、これらから算出される。一方、記録される入力データのファイル・ディレクトリ構成並びにその数が記録前に明確化されていないのであれば、記録可能なファイル・ディレクトリ構成並びにその数の上限を設定し、その上限を基に算出する。
【００１９】
図２で示される状態の後、データ入力部１０２からデータが入力され、入力されたデータは領域２０７の先頭からシーケンシャルに記録される。ファイルシステム情報生成部１０３は、ドライブ制御部１０５を介して領域２０７の範囲内にシーケンシャルに記録されるようにドライブブロックを制御する一方、領域２０７に記録された入力データをファイルとして管理する情報を構築する。この情報は、ＵＤＦを構成するＦｉｌｅ  Ｉｄｅｎｔｉｆｉｅｒ  ＤｅｓｃｒｉｐｔｏｒやＦｉｌｅ  Ｅｎｔｒｙ、ＩＳＯ９６６０を構成するＤｉｒｅｃｔｏｒｙ  Ｒｅｃｏｒｄなどである。もしくは、ＲＡＭメモリ資源の節約のため、上記の情報を後で構築するのに必要な情報のみをまとめた中間情報であっても構わない。ファイルシステム情報生成部１０３は、これらの情報をＲＡＭメモリ上、もしくは必要に応じて一度ＤＶＤ−Ｒ  ＤＬ１０１に記録して管理する。ディスクに記録する場合は、入力データを記録する領域２０７に記録し、記録したアドレスは後で辿れるようにファイルシステム情報生成部１０３で管理する。
【００２０】
領域２０７に対して入力データを全て書き終えたとき、領域２０７に未記録領域が残っている場合は、残っている未記録領域をダミーデータで記録する。なお、領域２０７の２層目に記録する際、重なる１層目の領域は既に記録済みである。
【００２１】
図３は、入力データを全て記録したときのＤＶＤ−Ｒ  ＤＬ１０１の記録領域の配置を示した図である。  図３において、３０１はＤＶＤ−Ｒ  ＤＬ１０１の１層目の記録層のユーザーエリア、３０２はＤＶＤ−Ｒ  ＤＬ１０１の２層目の記録層のユーザーエリア、３０３は第１のファイルシステム情報を記録するために予約されたファイルシステム記録領域、３０４は、第２のファイルシステム情報を記録するために確保されたファイルシステム記録領域、３０５は入力データが記録された入力データ記録領域である。
【００２２】
続いて、ファイルシステム情報生成部１０３は、領域３０５に記録された入力データを記録中に構築した管理情報を元に、第２のファイルシステム情報を生成する。この第２のファイルシステム情報は、ディスク上のファイルを管理するために必要な全ファイルシステム情報から領域３０３に記録する第１のファイルシステム情報を除いた情報から成るファイルシステム情報である。たとえば、ＩＳＯ９６６０を構成する各ファイルやディレクトリを管理するＤｉｒｅｃｔｏｒｙ  Ｒｅｃｏｒｄ、ＵＤＦを構成するＦｉｌｅ  Ｓｅｔ  Ｄｅｓｃｒｉｐｔｏｒ  Ｓｅｑｕｅｎｃｅや各ファイルやディレクトリを管理するＦｉｌｅ  Ｉｄｅｎｔｉｆｉｅｒ  ＤｅｓｃｒｉｐｔｏｒやＦｉｌｅ  Ｅｎｔｒｙ、そして２ｎｄ Ａｎｃｈｏｒ  Ｖｏｌｕｍｅ  Ｄｅｓｃｒｉｐｔｏｒ  Ｐｏｉｎｔｅｒ等といった情報である。これらの情報は、領域３０５に記録された入力データを記録中に構築した管理情報をディスクに記録している場合はそれを読み出し、管理情報が中間情報としてまとめられている場合はそれを変換して生成する。そして生成された第２のファイルシステム情報を領域３０４に記録する。なお、領域３０４に記録する際、領域３０４と重なる１層目の領域は既に記録済みである。
【００２３】
続いて、第１のファイルシステム情報を生成し、生成された第１のファイルシステム情報を領域３０３に記録する。そして、最後にディスクをＣｌｏｓｅする。
【００２４】
図４は、このようにして作成されたＤＶＤ−Ｒ  ＤＬディスクのファイルシステム情報の配置を示した図である。図４において、４０１はＤＶＤ−Ｒ  ＤＬの１層目の記録層のユーザーエリア、４０２は２層目の記録層のユーザーエリア、４０３は１層目に記録された第１のファイルシステム情報、４０４は２層目に記録された第２のファイルシステム情報、４０５は２層目の記録層のユーザーエリアの最内周アドレスの同円周上の位置にある１層目のアドレスである。このように、実施の形態１で記録されたＤＶＤ−Ｒ  ＤＬディスクのファイルシステム情報は、ＤＶＤ−Ｒ  ＤＬディスクの各層の内周部に配置される。
【００２５】
以上のように、実施の形態１においては、記録領域決定部１０４が１層目に記録するファイルシステム情報の領域と、より高い記録層である２層目に記録する入力データ領域が重ならないように決定することで、記録する２層目の領域と重なる１層目の領域は常に記録済み状態となり、ＤＶＤ−Ｒ  ＤＬのユーザーエリアを無駄なく使用することができる。
【００２６】
また、以上のように記録した結果として、図４に示したように全てのファイルシステム情報が傷や汚れなどの影響を受けにくいディスクの内周部に記録されており、傷や汚れなどによるファイルシステム破壊に伴うディスク信頼性損失を低減することもできる。
【００２７】
なお、本実施の形態では、ファイルシステム情報を記録するために１層目に予約された領域２０４と、より高い記録層である２層目の記録層のユーザーエリアがまったく重ならないようにしているが、２層目のユーザーエリアとの重なりが記録品位に影響を及ぼさない範囲内であれば、領域２０４を拡張しても本実施例と同様の効果が得られる。
【産業上の利用可能性】
【００２８】
本発明にかかる光ディスク記録装置及び光ディスク記録方法は、ＤＶＤ−Ｒ  ＤＬのような多層光ディスクのユーザーエリアを無駄なく使用することができる特徴を有し、多層光ディスク記録手段として有用である。
【図面の簡単な説明】
【００２９】
【図１】本発明の実施の形態１における光ディスク記録装置の構成図
【図２】本発明の実施の形態１におけるＤＶＤ−Ｒ  ＤＬへの記録方法を説明する図（１／２）
【図３】本発明の実施の形態１におけるＤＶＤ−Ｒ  ＤＬへの記録方法を説明する図（２／２）
【図４】本発明の実施の形態１におけるＤＶＤ−Ｒ  ＤＬのファイルシステム情報配置図
【図５】ＤＶＤ−Ｒ  ＤＬのユーザーエリアを帯状に図示した略図
【図６】従来のＤＶＤ−Ｒ  ＤＬへのＩｎｃｒｅｍｅｎｔａｌ記録方式を用いた記録方法における課題を説明する図
【符号の説明】
【００３０】
１０１  ＤＶＤ−Ｒ  ＤＬ
１０２  データ入力部
１０３  ファイルシステム情報生成部
１０４  記録領域決定部
１０５  ドライブ制御部
１０６  ドライブインターフェース回路
１０７  ドライブ制御マイコン
１０８  記録再生信号処理回路
１０９  サーボ回路
１１０  光ピックアップ
１１１  ディスク記録部
２０１  ＤＶＤ−Ｒ  ＤＬ１０１の１層目の記録層のユーザーエリア
２０２  ＤＶＤ−Ｒ  ＤＬ１０１の２層目の記録層のユーザーエリア
２０３  ２層目の記録層のユーザーエリア最内周アドレスの同円周上の位置にある１層目の記録層のアドレス
２０４  第１のファイルシステム情報を記録するために予約されたファイルシステム記録領域
２０５  第２のファイルシステム情報を記録するために確保されたファイルシステム記録領域
２０６  領域２０５の先頭アドレス
２０７  入力データを記録するために予約された入力データ記録領域
３０１  ＤＶＤ−Ｒ  ＤＬの１層目の記録層のユーザーエリア
３０２  ＤＶＤ−Ｒ  ＤＬの２層目の記録層のユーザーエリア
３０３  第１のファイルシステム情報を記録するために予約されたファイルシステム記録領域
３０４  第２のファイルシステム情報を記録するために確保されたファイルシステム記録領域
３０５  入力データが記録された入力データ記録領域
４０１  ＤＶＤ−Ｒ  ＤＬの１層目の記録層のユーザーエリア
４０２  ＤＶＤ−Ｒ  ＤＬの２層目の記録層のユーザーエリア
４０３  １層目に記録された第１のファイルシステム情報
４０４  ２層目に記録された第２のファイルシステム情報
４０５  ２層目の記録層のユーザーエリアの最内周アドレスの同円周上の位置にある１層目の記録層のアドレス
５０１  ＤＶＤ−Ｒ  ＤＬの１層目の記録層のユーザーエリア
５０２  ＤＶＤ−Ｒ  ＤＬの２層目の記録層のユーザーエリア
５０３  １層目の記録層のユーザーエリアの最内周アドレス
５０４  １層目の記録層のユーザーエリアの最外周アドレス
５０５  ２層目の記録層のユーザーエリアの最外周アドレス
５０６  ２層目の記録層のユーザーエリアの最内周アドレス
５０７  ２層目の記録層のユーザーエリアの最内周アドレスの同円周上の位置にある１層目の記録層のアドレス
６０１  ＤＶＤ−Ｒ  ＤＬの１層目の記録層のユーザーエリア
６０２  ＤＶＤ−Ｒ  ＤＬの２層目の記録層のユーザーエリア
６０３  ２層目の記録層のユーザーエリアの最内周アドレスの同円周上の位置にある１層目の記録層のアドレス
６０４  １層目の記録層に予約されたファイルシステム記録領域
６０５  領域６０４と重なる２層目の領域
【図１】
2009211746.tif 000003
【図２】
2009211746.tif 000004
【図３】
2009211746.tif 000005
【図４】
2009211746.tif 000006
【図５】
2009211746.tif 000007
【図６】
2009211746.tif 000008